(57)【要約】      （修正有）【課題】軽量で、小さく形成でき、動きが良く、イカや魚等を誘い易く、釣果が上がり、電源収納体内に容量の大きい電源を収納可能で、長時間発光でき、構成簡素で、取扱い易く、使い勝手に優れ、量産に適し、低廉で、経済的な擬似餌用発光装置を提供する。【解決手段】透光性がある擬似餌本体１に釣針２と発光部Ａ１を設けてなる擬似餌Ａを形成し、釣糸２０に取付け可能なケース５内に電源６或いは電源６を含む光源８を収納してなる電源収納体Ｂを形成し、電源収納体Ｂと擬似餌Ａとを、電線１０或いは光ファイバー線を介して連結し、電源収納体Ｂ内の電源６からの電流を、電線１０を介して擬似餌本体１内の発光部Ａ１に設けた光源８に供給し、或いは、電源収納体Ｂ内の光源８からの光を、光ファイバー線を介して擬似餌本体１内の発光部Ａ１に供給して、発光部Ａ１が発光するよう構成する。【選択図】図１
0003151178.tif 000002
【実用新案登録請求の範囲】
【請求項１】
透光性を有する適宜合成樹脂製の擬似餌本体に釣針を設けると共に、擬似餌本体内に発光部を設けてなる擬似餌を形成し、一方、釣糸に取付け可能なケース内に電源或いは電源を含む光源を収納してなる電源収納体を形成し、電源収納体と擬似餌とを、電線或いは光ファイバー線を介して連結し、電源収納体内の電源からの電流が、電線を介して擬似餌本体内の発光部に設けた光源に供給されることにより、或いは、電源収納体内の光源からの光が、光ファイバー線を介して擬似餌本体内の発光部に供給されることにより、発光部が発光するように構成したことを特徴とする擬似餌用発光装置。
【請求項２】
一つの電源収納体と複数の擬似餌とを複数の電線或いは光ファイバー線を介して連結し、複数の擬似餌の発光部夫々が発光するように構成したことを特徴とする請求項１記載の擬似餌用発光装置。
【考案の詳細な説明】
【技術分野】
【０００１】
本考案は、主に、イカや魚等を釣る際に使用される擬似餌用発光装置で、擬似餌に設けた発光部が発光することにより、イカや魚等を誘い易くして、釣果が確実に上がるようにし、更に、簡素な構成によって複数の擬似餌の発光部を発光せしめられるようにし、しかも、取扱い易くて、使い勝手に優れ、経済的にも優れたものとなるよう工夫した擬似餌用発光装置に関するものである。
【背景技術】
【０００２】
従来、この種の擬似餌用発光装置としては、例えば、特許文献１に示すような発光ルアーが開示されており、これは、ルアーの内部に、発光ダイオードと発光、点滅回路とリチウム電池が接続されており、スイッチとなるＯＮ−ＯＦＦ用の２つの端子が別々にルアーの表面から突き出ているものである。すなわち、一つのルアーに、発光ダイオードや発光、点滅回路やリチウム電池やスイッチが設けられたものである。
【先行技術文献】
【特許文献】
【０００３】
【特許文献１】特開２００８−１１３６４５号公報
【考案の概要】
【考案が解決しようとする課題】
【０００４】
ところが、前述の如き発光ルアーにあっては、発光ルアー自体がかなりの重量となると共に大きく形成されるようになり、ルアー自体の動きが悪くなって、イカや魚等を誘い難く、釣果が期待し難い難点があった。しかも、一つの発光ルアー自体の価格も高くなり、特に、一つの仕掛けに複数の発光ルアーを設けた場合には、かなり高価な仕掛けとなってしまう難点もあった。
【０００５】
そこで、本考案は、前述の如き難点等を解消して、擬似餌自体を軽量に形成できるようにすると共に、擬似餌自体を小さく形成することもでき、擬似餌自体の動きが良くなって、イカや魚等を誘い易くし、ひいては、釣果が確実に上がるようにし、更に、比較的長い時間発光させることも容易で、しかも、構成が簡素で、取扱い易く、使い勝手に優れ、量産に適し、低廉で、経済的な擬似餌用発光装置を提供できるようにすべく案出されたものである。
【課題を解決するための手段】
【０００６】
しかして、前述の如き課題を達成できるようにすべく、請求項１記載の擬似餌用発光装置にあっては、透光性を有する適宜合成樹脂製の擬似餌本体１に釣針２を設けると共に、擬似餌本体１内に発光部Ａ１を設けてなる擬似餌Ａを形成し、一方、釣糸２０に取付け可能なケース５内に電源６或いは電源６を含む光源８を収納してなる電源収納体Ｂを形成し、電源収納体Ｂと擬似餌Ａとを、電線１０或いは光ファイバー線１１を介して連結し、電源収納体Ｂ内の電源６からの電流が、電線１０を介して擬似餌本体１内の発光部Ａ１に設けた光源８に供給されることにより、或いは、電源収納体Ｂ内の光源８からの光が、光ファイバー線１１を介して擬似餌本体１内の発光部Ａ１に供給されることにより、発光部Ａ１が発光するように構成する手段を採用した。
【０００７】
また、請求項２記載の擬似餌用発光装置にあっては、一つの電源収納体Ｂと複数の擬似餌Ａとを複数の電線１０或いは光ファイバー線１１を介して連結し、複数の擬似餌Ａの発光部Ａ１夫々が発光するように構成する手段を採用した。
【考案の効果】
【０００８】
従って、請求項１記載の擬似餌用発光装置によれば、発光部Ａ１の発光により、イカや魚等を誘い易いものとなる。また、擬似餌Ａ自体を軽量に形成できるようになると共に、擬似餌Ａ自体を小さく形成することもできるようになる。すなわち、擬似餌Ａ自体の動きが良くなり、イカや魚等をより誘い易くなって、ひいては、釣果が確実に上がるようになる。
しかも、擬似餌用発光装置自体の構成が簡素となり、取扱い易く、使い勝手に優れ、量産に適し、低廉で、経済的なものとなる。
【０００９】
特に、釣糸２０に取付け可能なケース５内に、電源６或いは電源６を含む光源８を収納してなる電源収納体Ｂを形成し、電源収納体Ｂと擬似餌Ａとを、電線１０或いは光ファイバー線１１を介して連結し、電源収納体Ｂ内の電源６からの電流が、電線１０を介して擬似餌本体１内の発光部Ａ１に設けた光源８に供給されることにより、或いは、電源収納体Ｂ内の光源８からの光が、光ファイバー線１１を介して擬似餌本体１内の発光部Ａ１に供給されることにより、発光部Ａ１が発光するように構成したので、電源収納体Ｂ内に比較的容量の大きい電源６を収納することも可能となり、擬似餌Ａの発光部Ａ１を比較的長い時間発光させることも容易となる。すなわち、かなり深い場所（例えば、水深３００〜４００ｍ）に生息しているイカや魚等を釣る場合にあっても、十分な発光時間が得られるようになる。しかも、電源収納体Ｂ内に容量の大きい電源６を収納しても、擬似餌Ａ自体の動きが損なわれる虞がないものとなる。
【００１０】
また、請求項２記載の擬似餌用発光装置によれば、一つの電源収納体Ｂで複数の擬似餌Ａの発光部Ａ１を夫々確実に且つ簡単に発光させることができるようになり、ひいては、発光部Ａ１全体としての発光量が増し、イカや魚等をより誘い易くなって、釣果が確実に上がるようになる。
しかも、擬似餌用発光装置自体の構成が比較的簡素となり、取扱い易く、使い勝手に優れ、低廉で、経済的に優れたものとなる。
【図面の簡単な説明】
【００１１】
【図１】本考案の擬似餌用発光装置を例示する一部切欠正面図である。
【図２】本考案の他の擬似餌用発光装置を例示する一部切欠正面図である。
【図３】本考案の他の擬似餌用発光装置の一部を例示する分解斜視図である。
【考案を実施するための形態】
【００１２】
以下、本考案を図示例に基づいて説明すると、次の通りである。
本考案の擬似餌用発光装置は、主に、イカや魚等を釣る際に使用されるもので、擬似餌Ａに設けた発光部Ａ１が発光することにより、イカや魚等を誘い易くして、釣果が確実に上がるようにしたものである。
具体的には、透光性を有する適宜合成樹脂製の擬似餌本体１に釣針２を設けると共に、擬似餌本体１内に発光部Ａ１を設けてなる擬似餌Ａを形成する。
一方、釣糸２０（道糸、幹糸）に取付け可能なケース５内に電源６或いは電源６を含む光源８を収納してなる電源収納体Ｂを形成する。
そして、電源収納体Ｂと擬似餌Ａとを、電線１０或いは光ファイバー線１１を介して連結する。
それから、電源収納体Ｂ内の電源６からの電流が、電線１０を介して擬似餌本体１内の発光部Ａ１に設けた光源８に供給されることにより、或いは、電源収納体Ｂ内の光源８からの光が、光ファイバー線１１を介して擬似餌本体１内の発光部Ａ１に供給されることにより、発光部Ａ１が発光するように構成したものである。
加えて、一つの電源収納体Ｂと複数の擬似餌Ａとを複数の電線１０或いは光ファイバー線１１を介して連結し、複数の擬似餌Ａの発光部Ａ１夫々が発光するように構成されている。
【実施例】
【００１３】
先ず、図１に示す擬似餌用発光装置は、透光性を有する適宜合成樹脂製の擬似餌本体１の後端部（或いは、後端部近辺）に釣針２を設けると共に、前端部に取付部３を設け、擬似餌本体１内にＬＥＤや有機ＥＬ等の光源８による発光部Ａ１を有する擬似餌Ａを形成し、一方、釣糸２０（道糸、幹糸）に取付け可能なケース５内に電源６を収納してなる電源収納体Ｂを形成し、電源収納体Ｂと擬似餌Ａとを電線１０を介して連結し、電源収納体Ｂ内の電源６からの電流が、電線１０を介して擬似餌本体１内の光源８に供給されることにより、発光部Ａ１（光源８）が発光するよう構成されたものである。
【００１４】
また、図２に示す擬似餌用発光装置は、透光性を有する適宜合成樹脂製の擬似餌本体１の後端部（或いは、後端部近辺）に釣針２を設けると共に、前端部に取付部３を設け、擬似餌本体１内に発光部Ａ１を有する擬似餌Ａを形成し、一方、釣糸２０（道糸、幹糸）に取付け可能なケース５内に、ＬＥＤや有機ＥＬ等の光源８、及びこの光源８に電流を供給する電源６を収納してなる電源収納体Ｂを形成し、電源収納体Ｂと擬似餌Ａとを、光ファイバー線１１を介して連結し、電源収納体Ｂ内の光源８からの光が、光ファイバー線１１を介して擬似餌本体１内の発光部Ａ１に供給されることにより、発光部Ａ１が発光するよう構成されたものである。
【００１５】
前記擬似餌Ａは、例えば、擬似餌本体１と釣針２と取付部３と発光部Ａ１とを備え、釣用仕掛けに於いて複数利用される。
【００１６】
前記擬似餌本体１は、例えば、透光性を有する（全体が透明、或いは全体が半透明、或いは一部が透明、或いは一部が半透明でも良い）適宜合成樹脂材（或いは、透光性を有する適宜複合材やその他の材料でも良い。）によって構成され、全体的に細長状に形成したり、或いは魚の形態を模したような形状や、その他適宜形状に形成される。
【００１７】
前記釣針２は、例えば、金属製で、擬似餌本体１の後端部（或いは、後端部近辺でも良い）に形成されており、イカや魚等の対象魚に応じてこれらに確実に掛かるように構成されたものであれば良い。
【００１８】
前記取付部３は、例えば、擬似餌本体１の前端部分に設けた比較的小さな丸孔によって形成されており、釣糸２０（道糸、幹糸）にその一端部分が固定される釣糸２１（ハリス）の他端部分が簡単に且つ確実に固定できるように形成されている。尚、取付部３は、釣糸２１（ハリス）を使用せずに、電線１０或いは光ファイバー線１１を釣糸２１（ハリス）として兼用させる場合には無くても良い。
【００１９】
前記発光部Ａ１は、例えば、擬似餌本体１内に埋設されるようにしたＬＥＤや有機ＥＬやネオンワイヤー等の光源８によって構成したり、或いは、擬似餌本体１内に埋設されるようにした光ファイバー線１１の先端部分によって構成されるようになる。尚、光ファイバー線１１の先端部分によって発光部Ａ１を構成する場合は、例えば、光ファイバー線１１内を通過してきた光を先端部分で乱反射（拡散）できるように光ファイバー線１１の先端部分を加工したり、或いは光ファイバー線１１の先端部分に拡散レンズ（レンズでなくても良い）等を配置するようになる。
【００２０】
前記電源収納体Ｂは、例えば、ケース５と、電源６（例えば、乾電池やその他の電池）と、取付部７とを備え、また、図２のような擬似餌用発光装置にあっては、更に光源８（ＬＥＤや有機ＥＬ等）を備えた構成となっている。
【００２１】
前記ケース５は、例えば、適宜合成樹脂材（或いは、適宜金属材や適宜複合材やその他の材料でも良い。）によって形成されると共に、電源６や光源８等を内装できるような中空状に形成されている。
ところで、ケース５は、その内部の電源６が簡単に交換できるように、ケース５を二つの分割構成体で構成し、これを接続分離自在となるように形成してあっても良いし、或いは、適宜開口部を適宜蓋材で取外し可能に閉鎖できるように形成してあっても良い（図示せず）。尚、前記接続部分には、適宜防水手段を施して、ケース５内に海水（水）等が侵入しないように配慮する。また、ケース５には、擬似餌用発光装置のＯＮ―ＯＦＦ操作が可能となるような適宜スイッチ機構を設けても良い。
【００２２】
前記取付部７は、例えば、ケース５の両端部分に設けた比較的小さな丸孔によって形成されており、釣糸２０（道糸、幹糸）が簡単に且つ確実に固定できるように形成されている。
【００２３】
前記光源８は、例えば、ＬＥＤや有機ＥＬやネオンワイヤー等のように、電流の供給によって発光すると共に、小型で、省電力で、明るいものが利用される。
【００２４】
図中９は、ＬＥＤ等の光源８の前方に配される着色フィルターで、この着色フィルター９は、例えば、発光部Ａ１で発光する色を調節できるようにしたものである。尚、図３に示すように、着色フィルター９を区画された四色で構成するようにし、夫々の着色部分に四本の光ファイバー線１１の端末を対向させるように配置することで、一つ（一色）の光源８であっても複数（四個）の擬似餌Ａの発光部Ａ１を夫々異なった色（四色）で発光させることができるようになる。
【００２５】
前記電線１０は、例えば、電源６からの電流を擬似餌Ａ内の光源８に確実に供給でき、しかも、比較的柔軟で、強度や耐久性の優れたものが利用される。尚、擬似餌Ａと釣糸２０（道糸、幹糸）とを結ぶ釣糸２１（ハリス）を設けない場合は、電線１０自身が釣糸２１（ハリス）の代わりとなっても良い。また、複数の電線１０は、複数の擬似餌Ａの配設位置を考慮して夫々の長さを自由に設定できるものである。
【００２６】
前記光ファイバー線１１は、例えば、電源収納体Ｂ内の光源８からの光を擬似餌Ａ内の発光部Ａ１まで確実に送給でき、しかも、比較的柔軟で、強度や耐久性の優れたものが利用される。尚、擬似餌Ａと釣糸２０（道糸、幹糸）とを結ぶ釣糸２１（ハリス）を設けない場合は、光ファイバー線１１自身が釣糸２１（ハリス）の代わりとなっても良い。また、複数の光ファイバー線１１は、複数の擬似餌Ａの配設位置を考慮して夫々の長さを自由に設定できるものである。
【００２７】
図中２５は、釣糸２０（道糸、幹糸）の下端に固定される錘である。
【００２８】
ところで、擬似餌用発光装置の具体的構成、形状、寸法、材質、擬似餌Ａの具体的構成、形状、寸法、材質、数、配設位置、発光部Ａ１の具体的構成、形状、寸法、配設位置、擬似餌本体１の具体的構成、形状、寸法、材質、釣針２の具体的構成、形状、寸法、材質、数、配設位置、取付部３の具体的構成、形状、寸法、数、配設位置、電源収納体Ｂの具体的構成、形状、寸法、材質、配設位置、ケース５の具体的構成、形状、寸法、材質、電源６の具体的構成、形状、寸法、配設位置、取付部７の具体的構成、形状、寸法、数、配設位置、光源８の具体的構成、形状、寸法、数、配設位置、着色フィルター９の具体的構成、形状、寸法、材質、配設位置、電線１０の具体的構成、形状、寸法、材質、配設位置、光ファイバー線１１の具体的構成、形状、寸法、材質、配設位置、釣糸２０、２１の具体的構成、形状、寸法、材質、錘２５の具体的構成、形状、寸法、材質、配設位置等は図示例のものなどに限定されることなく適宜自由に設定、変更できるものである。
【産業上の利用可能性】
【００２９】
しかして、本考案の擬似餌用発光装置は、発光部Ａ１で発光することにより、発光部Ａ１がかなり目立つようになり、視覚的にイカや魚等が誘われ易くなって、釣れるようになる。しかも、擬似餌Ａ自体が軽量となる共に、擬似餌Ａ自体を小さく形成することもできるようになり、擬似餌Ａ自体の動きが良くなって、イカや魚等をより誘い易くなって、釣果が更に上がるものとなる。
【符号の説明】
【００３０】
Ａ      擬餌餌
Ａ１    発光部
１      擬似餌本体
２      釣針
３      取付部
Ｂ      電源収納体
５      ケース
６      電源
７      取付部
８      光源
９      着色フィルター
１０    電線
１１    光ファイバー線
２０    釣糸
２１    釣糸
２５    錘
【図１】
0003151178.tif 000003
【図２】
0003151178.tif 000004
【図３】
0003151178.tif 000005